(57)【要約】      （修正有）【課題】梱包部材の表面を見るだけで、梱包された便器が想定しているトイレルームに設置できるか否かが判別できる。【解決手段】便器を梱包するための便器梱包部材である。この便器梱包部材の表面に、梱包される前記便器の図面が表示される。この図面に前記便器の排水部が表示される。図面に排水部の位置を特定するための寸法表示がされる。【選択図】なし【特許請求の範囲】
【請求項１】
便器を梱包するための便器梱包部材であって、この便器梱包部材の表面に、梱包される前記便器の図面が表示され、この図面に前記便器の排水部が表示され、且つ、この排水部の位置を特定するための寸法表示がされていることを特徴とする便器梱包部材。
【請求項２】
前記便器梱包部材の表面の前記図面に給水部の位置が表示され、且つ、この給水部の位置を特定するための寸法表示がされていることを特徴とする請求項１記載の便器梱包部材。
【発明の詳細な説明】
【技術分野】
【０００１】
本発明は、便器梱包部材に関するものである。
【背景技術】
【０００２】
特許文献１に、電子レンジのような製品を梱包する梱包部材の表面に、梱包される製品の外形輪郭を現す実寸の外形図面と、製品と収納室の内面との間に確保すべき隙間の実寸大の寸法を表示することが開示されている。
【０００３】
例えば、梱包される製品が電子レンジの場合、電子レンジの背面、側面、上面と、電子レンジを設置する収納室の背面、側面、天面との間にどれだけの隙間が必要であるかが実寸で表示されている。
【０００４】
これにより、ユーザは、梱包部材の表面に表示された製品の外形輪郭及び、製品を設置する収納室の内面と製品の間に必要な隙間寸法を見ることで、ユーザが想定している収納室に、梱包材に梱包された製品を設置できるか否かを判断できる。
【０００５】
このようにして、ユーザは梱包材の表面の表示を見て、設置する収納室を想定しながら製品の選択ができる。
【先行技術文献】
【特許文献】
【０００６】
【特許文献１】特開平７−１６５２３０号公報
【発明の概要】
【発明が解決しようとする課題】
【０００７】
しかし、製品が便器の場合は、梱包部材の表面に表示された製品の外形輪郭及び、製品を設置する収納室の内面と製品の間に必要な隙間寸法が表示してあるだけでは、梱包されている便器が、収納室であるトイレ室に設置できるか否かが判断できない。
【０００８】
便器をトイレルームに設置するには、トイレルームに設けられた排水管に便器の排水部を接続することが条件となる。
【０００９】
このため、便器の排水部の位置がわからなければ、梱包されている便器が想定しているトイレルームに設置できるか、どうか、あるいは、設置できるとしても、トイレルーム内の最も好ましい位置に設置できるかということは分からない。
【００１０】
したがって、従来の梱包部材の表面に表示された製品の外形輪郭及び、製品を設置する収納室の内面と製品の間に必要な隙間寸法を表示するだけの従来例では、梱包された便器が想定しているトイレルームに設置できるかどうか、判別し難い。
【００１１】
ところで、近年、トイレルームに便器の設置を行う場合、業者が、対象のトイレルームに設置するための便器を、ホームセンターと称される店舗等に出向いて購入し、現場に持ち込んで設置するようにしている。
【００１２】
店舗には、多種類の便器が梱包部材に梱包された状態で展示されているが、梱包部材の表面を見るだけは、排水部の位置、及び、排水部の位置を特定するための寸法が判らず、梱包された便器が対象とするトイレルームに設置できるかどうか、判別するのが困難である。
【００１３】
そこで、業者は、梱包部材に記載してある便器の品番に基づき、カタログ等で、排水部の位置、及び、排水部の位置を特定するための寸法を確認することで、想定しているトイレルーム内に設置できるか否かを判断しており、便器の選定に手間がかかっていた。
【００１４】
本発明は上記の従来例の問題点に鑑みて発明したもので、梱包部材の表面を見るだけで、梱包された便器が想定しているトイレルームに設置できるか否かが判別可能な便器梱包部材を提供するにある。
【課題を解決するための手段】
【００１５】
本発明の便器梱包部材は、便器を梱包するための便器梱包部材であって、この便器梱包部材の表面に、梱包される前記便器の図面が表示され、この図面に前記便器の排水部が表示され、且つ、この排水部の位置を特定するための寸法表示がされていることを特徴とする。
【００１６】
また、前記便器梱包部材の表面の前記図面に給水部の位置が表示され、且つ、この給水部の位置を特定するための寸法表示がされていることが好ましい。
【発明の効果】
【００１７】
本発明は、便器梱包部材の表面に表示された便器の図面に、便器の排水部が表示され、且つ、排水部の位置を特定するための寸法表示がされているので、表面の図面を見ることで、想定しているトイレルームに設置するための便器の選定が容易にできる。
【図面の簡単な説明】
【００１８】
【図１】梱包部材で便器を梱包している状態の斜視図である。
【図２】同上の分解斜視図である。
【図３】同上に用いる梱包部材の一実施形態の展開図である。
【図４】図３の便器の図面の表示部分の拡大平面図である。
【図５】同上の梱包部材の他の実施形態における便器の図面の拡大平面図である。
【図６】図５の便器の図面の表示部分の拡大平面図である。
【図７】同上の梱包部材の更に他の実施形態における便器の図面の拡大平面図である。
【図８】図７の便器の図面の表示部分の拡大平面図である。
【図９】同上の梱包部材の更に他の実施形態における便器の図面の拡大平面図である。
【図１０】図９の便器の図面の表示部分の拡大平面図である。
【発明を実施するための形態】
【００１９】
以下、本発明を添付図面に示す実施形態に基づいて説明する。
【００２０】
図３、図５、図７、図９にはそれぞれ便器梱包材２の各実施形態の展開図が示されている。
【００２１】
便器梱包部材２は、ダンボール等により形成され、４つの側面片７、４つの上面片８が備えられている。
【００２２】
４つの側面片７（７１、７２、７３、７４）は、折り曲げ線９を介して横巾の長い側面片７（７１、７３）と横巾の短い側面片７（７２、７４）が横方向に交互に横一列に連設される。
【００２３】
横方向の両端に位置する側面片７のうちいずれか一方の側面片７（図の実施形態では左側の側面片７１）の側端に折り曲げ線９を介してのり代片１０が連設されている。
【００２４】
各側面片７の上端にそれぞれ折り曲げ線９を介して上面片８（８１、８２、８３、８４）が連設されている。
【００２５】
上面片８のうち横巾の長い上面片８１、８３の側面片７１、７３の上端からの連出長さＰ１は、上面片８のうち横巾の短い上面片８２、８４の横巾長さＰ２の１／２の長さに設定されている。
【００２６】
側面片７、上面片８の表面には、梱包対象である便器１に関する種々の表示がなされている。なお、横巾の短い上面片８２、８４は、便器梱包部材２を組み立てた際、外部に露出しないので、横巾の短い上面片８２、８４には表示がなされていない。
【００２７】
側面片７、上面片８の表面に表示される表示のうち、側面片７、上面片８の少なくとも１つに、梱包対象である便器１の図面３が表示される。
【００２８】
便器１の図面３の表示としては、少なくとも便器１の平面図３１、側面図３２が表示される。
【００２９】
図４、図６、図８、図１０には、図３、図５、図７、図９の各実施形態に表示された図面３の拡大図が示されている。
【００３０】
この便器１を表示する図面３には、更に、便器１が設置されるべきトイレルームの床面１１、壁面１２が表示される。
【００３１】
側面図３２、平面図３１のいずれか又は両方には便器１の排水部４が表示される。
【００３２】
ここで便器１の排水部４とは、便器１からの外部への排水出口部分のことをいう。
【００３３】
したがって、図面３における排水部４の表示とは、便器１から外部への排水出口部分を表示することである。
【００３４】
ところで、便器１からの排水経路は、便器１に備えられる排水筒１３や排水アジャスタ２１と、これら排水筒１３や排水アジャスタ２１に接続される外部の排水管１４により構成される。
【００３５】
したがって、便器１からの外部への排水出口部分である排水部４とは、便器１の排水筒１３の下流側端部と排水管１４との接続部分、又は、排水アジャスタ２１と排水管１４との接続部分であると言い換えることができる。
【００３６】
添付図面には、排水筒１３の下流側端部と排水管１４の上流側端部の両方、あるいは、排水アジャスタ２１の下流側端部と排水管１４の上流側端部の両方を表示することで、上記接続部分、つまり、排水部４の位置が表示されている。
【００３７】
もちろん、添付図面の例にのみ、限定されるものではなく、排水筒１３の下流側端部、又は、排水アジャスタ２１の下流側端部、又は、外部の排水管１４の上流側端部のいずれかを表示することでも、接続部分（排水部４）の位置は分かる。
【００３８】
図４、図６の実施形態は、便器１の排水筒１３の排水出口が便器１の後面側に位置し、この排水筒１３の排水出口と、壁面１２に設けられる排水管１４との接続部分の位置が分かるように表示されている例である。
【００３９】
図８、図１０の実施形態は、便器１の排水筒１３の排水出口が便器１の下面側に位置し、この排水筒１３の排水出口と、床面１１に設けられる排水管１４との接続部分の位置が分かるように表示されている例である。
【００４０】
また、この図６、図１０の実施形態には、排水アジャスタ２１を用いた場合の排水出口の位置が分かるように表示した図面も記載されている。
【００４１】
改築の場合のように、既存排水管の位置が決まっている場合は、排水アジャスタ２１を用いて、便器１からの排水出口の位置を既存排水管の位置に合わせることができる。
【００４２】
図６、図１０に示された便器１の図面には、排水アジャスタ２１を用いた場合の便器１からの排水出口の位置の可変範囲が記載されている。
【００４３】
また、便器１の図面３（平面図３１、側面図３２）には、便器１の前後方向、左右方向の長さ、高さを示す外形寸法を表示する寸法表示５がなされている。
【００４４】
更に、便器１の図面３（平面図３１、側面図３２）には、排水部４の位置を特定するための寸法表示５がなされている。
【００４５】
図４、図８の実施形態は、トイレルームの床面１１から排水部４までの寸法表示５がされている例である。
【００４６】
図６、図１０の実施形態は、トイレルームの奥側の壁面１２から排水部４までの寸法表示５がされている例である。
【００４７】
このような排水部４の位置を特定する寸法表示５を見ることで、対象とするトイレルームの所定位置に、便器梱包部材２で梱包される便器１が設置可能か否かが判別できるようになっている。
【００４８】
また、便器１の図面３（平面図３１、側面図３２）には、便器１の給水部６の位置が表示されている。更に、給水部６の位置を特定するための寸法表示５がされている。この給水部６の位置を特定するための寸法表示５としては、以下のような表示がなされる。つまり、便器１において左右方向の位置を特定するための寸法、床面１１に対して上下方向の位置を特定するための寸法、奥側の壁面１２に対して前後方向の位置を特定するための寸法等の寸法表示５が表示される。そして、これら複数の寸法表示５のうち２つ以上の寸法表示５が表示されている。
【００４９】
これにより、外部からトイレルームに引き込まれる給水管の位置が、床面１１又は壁面１２のどの位置であれば、便器梱包部材２で梱包される便器１の給水部６に接続できるかが分かる。
【００５０】
添付図面の実施形態は、横巾の長い上面片８３に梱包対象である便器１の図面３が表示されており、他の側面片７には、梱包対象である便器１の外観を写真や透視図で示す外観表示、商品名、品番、発売業者や製造業者名、注意書き等の種々の一般表示１６が成されている。
【００５１】
もちろん、横巾の長い上面片８３に梱包対象である便器１の図面３が表示された例にのみ限定されず、横巾の長い側面片７１、７３のいずれかに、梱包対象である便器１の図面３が表示されてもよい。
【００５２】
上記構成の便器梱包部材２は、４つの側面片７１、７２、７３、７４が折り曲げ線９部分で９０°折り曲げられ、のり代片１０が９０°折り曲げられて他端部の側面片７４の端部に重ねられて接着剤、止着具等の固着手段で固着される。これにより４つの側面片７１、７２、７３、７４が角筒状に組み立てられる。
【００５３】
また、横幅の短い上面片８２、８４が折り曲げ線９部分で９０°折り曲げられ、次に、横幅の長い上面片８１、８３が折り曲げ線９部分で９０°折り曲げられ、横幅の短い上面片８２、８４の上に重ねられる。
【００５４】
重ねられた横幅の長い上面片８１、８３と、横幅の短い上面片８２、８４は、接着剤、止着具等の固着手段で固着され、４つの側面片７１、７２、７３、７４を組み立てた角筒状の上開口が閉じられる。
【００５５】
このようにして組み立てられた便器梱包部材２は、上開口が閉じられ且つ下開口が開口した角筒状となる。
【００５６】
組み立てられた便器梱包部材２は、載置台１８の上に載せられた便器１に被せられる。角筒状の便器梱包部材２の下端が載置台１８の上面又は外周側面に当接させられる。
【００５７】
この状態で、図１のように結束バンド１９や紐を便器梱包部材２と載置台１８にかけ回して結束することで、便器１は梱包される。
【００５８】
図２には梱包前の分解斜視図が示されている。
【００５９】
梱包された便器１は、便器梱包部材２表面に表示された便器１の図面３に表示された排水部４を見ることで、排水部４が下方に排水する床排水タイプか、奥側の壁面１２側に排水する壁排水タイプかが一目で分かる。したがって、種類の異なる便器１が梱包された複数種類の便器梱包部材２の中から、設置対象のトイレルームに設置可能な排水部４のタイプを備えた便器１を容易に選別することが可能となる。
【００６０】
このように、排水部４のタイプの選別に加え、表示された排水部４の位置を特定するための寸法表示５を見ることで、排水部４（便器１からの排水出口）の位置が具体的な寸法により分かる。
【００６１】
これにより、例えばトイレルームの奥側の壁面１２から排水部４の中心までの寸法が分かることで、改築の場合、対象トイレルームにおける既存の排水管の位置があらかじめわかっているので、梱包されている便器１が対象トイレルームに設置可能か、否かが容易に判別できる。
【００６２】
また、新築においては、排水管１４位置が設計によりわかっている場合は、梱包されている便器１を対象トイレルームに設置することが可能か、否かが容易に判断できる。
【００６３】
更に、新築の設計の段階で、あらかじめ便器１を選定した後、トイレルームにおける排水管１４を設ける位置を簡単に決めることができる。
【００６４】
上記のように対象とするトイレルームに設置可能な最適の便器１を選定するのであるが、同時に、便器１の図面３に表示された給水部６の位置を特定するための寸法表示５を見て、便器１への外部給水配管の接続に支障がないかを判断し、支障なく接続できる便器１を選定する。
【００６５】
このようにして、複数種類の便器１をそれぞれ梱包した便器梱包部材２表面に表示された便器１の図面を見て、排水部４の位置、及び、排水部４の位置を特定するための寸法表示５を見ることで、対象とするトイレルームに設置するための便器１を容易に選定できる。
【００６６】
したがって、便器１の選定に当って、店舗でカタログ等を見て選別するという手間を省くことが可能となる。
【符号の説明】
【００６７】
１  便器
２  便器梱包部材
３  図面
４  排水部
５  寸法表示
６  給水部
【図１】
2013159342.tif 000002
【図２】
2013159342.tif 000003
【図３】
2013159342.tif 000004
【図４】
2013159342.tif 000005
【図５】
2013159342.tif 000006
【図６】
2013159342.tif 000007
【図７】
2013159342.tif 000008
【図８】
2013159342.tif 000009
【図９】
2013159342.tif 000010
【図１０】
2013159342.tif 000011